(57)【要約】      （修正有）【課題】除電効果の優れた防塵服であって、しかも低コストで製作できる防塵服を提供する。【解決手段】導電糸が格子状又はストライプ状に織り込まれ又は編み込まれた生地によって服本体１を縫製するとともに、この生地の少なくとも一方表面を導電性樹脂によってコーティングしてなる導電性生地、若しくは、ウレタンフィルムの少なくとも一方表面を導電性樹脂によってコーティングしてなる導電性生地の何れかからなる帯状布１１を、袖口６から袖脇を通り、さらに上衣身頃縫合部から下衣身頃縫合部を経て裾口下１０に至るまで一連に逢着する。そして、袖口から肘周り附近にかけての袖部分を前記導電性生地により形成するか、または、袖口から肘周り附近にかけての袖部分に前記導電性生地で縫製した袖カバーを取り付ける。【選択図】図１
0003153935.tif 000002
【実用新案登録請求の範囲】
【請求項１】
導電糸が格子状又はストライプ状に織り込まれ又は編み込まれた生地によって服本体を縫製するとともに、前記生地の少なくとも一方表面を導電性樹脂によってコーティングしてなる導電性生地、若しくは、ウレタンフィルムの少なくとも一方表面を導電性樹脂によってコーティングしてなる導電性生地の何れかからなる帯状布を、袖口から袖脇を通り上衣身頃縫合部から下衣身頃縫合部を経て下衣裾口下に至るまで一連に逢着したことを特徴とする防塵服。
【請求項２】
袖口から肘周り附近にかけての袖部分を、導電糸が格子状又はストライプ状に織り込まれ又は編み込まれた生地の少なくとも一方表面を導電性樹脂によってコーティングしてなる導電性生地、若しくは、ウレタンフィルムの少なくとも一方表面を導電性樹脂によってコーティングしてなる導電性生地の何れかによって形成したことを特徴とする請求項１に記載の防塵服。
【請求項３】
袖口から肘周り附近にかけての袖部分に、導電糸が格子状又はストライプ状に織り込まれ又は編み込まれた生地の少なくとも一方表面を導電性樹脂によってコーティングしてなる導電性生地、若しくは、ウレタンフィルムの少なくとも一方表面を導電性樹脂によってコーティングしてなる導電性生地の何れかにより縫製された袖カバーを、袖部分に着脱可能に取り付けてなることを特徴とする請求項１に記載の防塵服。
【考案の詳細な説明】
【技術分野】
【０００１】
本考案は、半導体等の電子部品を製造するクリーンルーム等において使用される防塵服に関する。
【背景技術】
【０００２】
クリーンルーム等で着用される作業着は、作業対象物（商品）を損傷又は汚染しないよう防塵服の着用が義務づけられている。そして、この種の防塵服には非発塵性や耐久性が求められているため、天然繊維ではなく合成繊維からなる生地（生地）が多用されている。しかしながら、合成繊維からなる生地は一方では静電気が帯電しやすいという欠点があり、静電気による浮遊物の吸着現象が生じてかえって非発塵性が損なわれたり、静電気のスパーク現象による火災の発生や爆発等の危険が伴う等の問題がある。特に、電子部品を取り扱う作業現場においては、微細なスパーク現象が生じただけでも商品の損傷が避けられないことから、このような作業環境下で使用される防塵服にあっては、帯電防止（制電）性を備えていることが必須条件となっている。
【０００３】
従来の防塵服にあっては、制電性を得るために金属繊維や炭素繊維等の導電繊維からなる糸や、無電解メッキといった化学処理によって得られる導電性繊維からなる糸（導電糸）を適当な間隔で織り込むか編み込むかして布地に導電性を与える方法。また、繊維又はその布地に親水性ポリマー等の吸水性物質を吸着させることにより素材そのものを改質し導電性を持たせる方法。更には、防塵服に導電性部材を別に取り付ける方法等が提案されている。
【０００４】
しかしながら、防塵服に導電糸を織り込んだり編み込んだりした布地を使用したとしても、衣服を形成するには前身頃、後身頃、袖部、ズボン部等の各パーツ毎に裁断された生地を縫合しなければならず、その際、導電糸相互の接続までも行うよう縫合することは実際上不可能で、そのため、各パーツ地毎に電圧値が異なることから発生する放電現象を誘発してしまう問題がある。また、合成繊維又はその布地に親水性ポリマー等の吸水性物質を吸着させる方法にあっては、低湿度雰囲気下では比抵抗値が高くなって十分な制電効果が得られず、しかも、繰り返しの洗濯によってその効果が低下する等の問題がある。また、防塵服に導電性部材を別途取り付ける方法にあっては、取り付けられた部材が邪魔になって作業効率が低下したり着心地が悪くなったりする等の不都合がある。
【０００５】
【特許文献１】実開平０１−１３６１１２
【特許文献２】特開平０６−３１６８７２
【特許文献３】特開２０００−１７８８１０
【特許文献４】特開２００４−０３１０７１
【特許文献５】実開２００８−１３３５６１
【０００６】
上記従来技術の問題点を解消するため、本願人は、実願２００９−００１７７５号によって、導電糸が格子状又はストライプ状に織り込まれ又は編み込まれた生地の一方表面を導電性樹脂によってコーティングしてなる防塵性生地を用いて縫製した防塵服、及び、導電糸が格子状又はストライプ状に織り込まれ又は編み込まれた生地の一方表面を導電性樹脂によってコーティングされたウレタンフィルムによってラミネートしてなる導電性生地を用いて縫製した防塵服を提案した。これらの考案は、優れた除電効果が得られるものの、生地全体を導電性樹脂でコーティングし、若しくは、導電性樹脂によってコーティングされたウレタンフィルムをラミネートする等の手段を採用したため、コーティング用の導電性樹脂やウレタンフィルムの使用量が多くなり製作コストが高くなる不都合が生じた。
【考案の開示】
【考案が解決しようとする課題】
【０００７】
本考案は、上記考案の不都合に鑑みなされたもので、除電効果の優れた防塵服であって、しかも低コストで製作できる防塵服を提供することを課題とする。
【課題を解決するための手段】
【０００８】
上記課題を解決するため、請求項１の考案にあっては、導電糸が格子状又はストライプ状に織り込まれ又は編み込まれた生地によって服本体を縫製するとともに、この生地の少なくとも一方表面を導電性樹脂によってコーティングしてなる導電性生地、若しくは、ウレタンフィルムの少なくとも一方表面を導電性樹脂によってコーティングしてなる導電性生地の何れかからなる帯状布を、袖口から袖脇を通り、さらに上衣身頃縫合部から下衣（ズボン）身頃縫合部を経て下衣（ズボン）裾口下に至るまで一連に逢着したことを特徴とする。
【０００９】
請求項２の考案にあっては、前記請求項１の防塵服にあって、袖口から肘周り附近にかけての袖部分を、導電糸が格子状又はストライプ状に織り込まれ又は編み込まれた生地の少なくとも一方表面を導電性樹脂によってコーティングしてなる導電性生地、若しくは、ウレタンフィルムの少なくとも一方表面を導電性樹脂でコーティングしてなる導電性生地の何れかによって形成したことを特徴とする。
【００１０】
請求項３の考案にあっては、前記請求項１の防塵服にあって、袖口から肘周り附近にかけての袖部分に、導電糸が格子状又はストライプ状に織り込まれ又は編み込まれた生地の少なくとも一方表面を導電性樹脂によってコーティングしてなる導電性生地、若しくは、ウレタンフィルムの少なくとも一方表面を導電性樹脂でコーティングしてなる導電性生地の何れかによって縫製した袖カバーを、袖部分に着脱可能に取り付けたことを特徴とする。
【考案の効果】
【００１１】
請求項１の考案によれば、服本体を導電性を持たせた生地によって縫製するととともに、より導電性の高い導電性生地を用いた帯状布を、袖口から袖脇を通り、さらに上衣身頃縫合部からズボン身頃縫合部を経てズボン裾口に至るまで一連に逢着してあるため、防塵服を構成する各パーツ地全体が相互に通電状態となっていて防塵服全体の電位が平準化し、これにより、各パーツ地毎に電圧値が異なることから生じる静電気障害を有効に防止することができる。
【００１２】
また、防塵服本体を構成する生地に織り込まれ又は編み込まれた導電糸の通電作用と相俟って、防塵服に帯電した静電気を前記帯状布を通じてズボン裾口より容易且つ効果的に放電でき、より除電効果の優れた防塵服とすることができる。
【００１３】
さらに、防塵服に帯電した静電気をズボン裾口下より放電するための導電路を帯状布によって構成したことにより、導電性樹脂やウレタンフィルムを服全面に使用することが省けその使用量を大幅に削減することができ、より安価な防塵服とすることができた。
【００１４】
請求項２の考案によれば、作業動作が比較的多く静電気が発生し易い袖口から肘周り附近にかけての防塵服の袖部分を、導電性のより高い導電性生地により形成したことにより、袖部分に発生した静電気をより速やかに拡散減衰させることができる。また、導電性生地の表面は樹脂コーティングされているので、袖部分の摩耗損傷や汚れを防ぐことができ、耐久性のある防塵服とすることができる。
【００１５】
請求項３の考案によれば、作業動作が比較的多く静電気の発生し易い袖口から肘周り附近にかけての防塵服の袖部分に、導電性のより高い導電性生地により作られた袖カバーを取り付けたことにより、前記請求項２の考案と同様の効果が得られるのに加え、これを着脱可能とすることにより、袖カバーを必要に応じて着脱して効率良く利用することができ、その結果、使用頻度や洗濯頻度を異にする服本体と袖カバーの耐用期間をそれぞれ延ばすことができる。
【考案を実施するための最良の形態】
【００１６】
以下、本考案の実施形態について図面に基づいて説明する。
【００１７】
図面は本考案の実施形態を示し、図１は上衣と下衣とが分かれたセパレート型防塵服の全体正面図、図２は上衣と下衣とが一体となった繋ぎ型防塵服の全体正面図、図３及び図４は防塵服の袖部分の構成を示す部分説明図、図５及び図６は導電性生地の層構造を示す概略断面図である。
【００１８】
図１で示すセパレート型防塵服は、服本体１が上衣２と下衣３とに分かれ、上衣２は、前身頃４、後身頃（図示せず）及び袖５等の各パーツ地を縫合したもので、袖口６は絞り形成され、前身頃４の中央部にはファスナー７が取り付けられている。また、下衣（ズボン）３は、前身頃８と後身頃（図示せず）とを縫合したもので、ウエスト部９及び裾口１０はそれぞれ絞り形成されている。
【００１９】
なお、図１で示す実施形態例にあっては、服本体１をセパレート型としているが、特にその形態に制約があるものではなく、図２で示すように上衣２と下衣３とが一体となった繋ぎ型の防塵服であってもよく、また、ファスナーの取付位置や着脱形式、フード部の有無等は特に限定されるものではない。
【００２０】
本実施形態では、服本体１を構成する生地として、ポリエステルに導電性カーボンを被覆した導電繊維とポリエステル加工糸とを交撚した導電糸（ｂ）が格子状又はストライプ状に織り込まれ又は編み込まれた生地（ａ）を用いたが、特にこれに限定されるものではなく、生地の繊維素材や導電糸の種類及び導電糸の配設密度や配設形状（格子状かストライプ状か）等は、当該防塵服の使用環境や目的及び製作コスト等を勘案して適宜選択すればよい。
【００２１】
さらに、服本体１には、生地（ａ）を基生地とし、少なくともその一方表面を導電性樹脂（ｃ）によってコーティングしてなる導電性生地（Ａ１）により形成した帯状布１１が、上衣２の袖口６から袖脇を通り、さらに前身頃４と後身頃との接合部を経て先端部分が裾部より延出した状態にて縫着され、また、下衣３の絞り形成されたウエスト部９の両側から前身頃８と後身頃との外側接合部を経て先端部分が裾口１０より延出した状態にて縫着されている。
【００２２】
そして、上衣２に縫着された帯状布１１の延出部分には金属製のドット雄釦１２が、また、下衣３に逢着された帯状布１１の上方には前記ドット雄釦１２に対応する金属製のドット雌釦１３が取り付けられていて、着用時にこのドット雄釦１２とドット雌釦１３とを嵌合させることにより、帯状布１１は、袖口６からズボン裾口１０下に至るまでの連続した導電路を構成することとなり、服本体１で発生し帯電した静電気をこの帯状布１１を通じてズボン裾口１０下より効率よく放電させることができる。
【００２３】
なお、当然のことながら、服本体１を繋ぎ型とした場合には（図２）帯状布１１は袖口６からズボン裾口１０下に至るまで連続した１本の布で構成されているので、その延出部分はズボン裾口１０下のみで、上衣２と下衣３にそれぞれ縫着された帯状布１１を連続させるためのドット雄釦１２やドット雌釦１３は不要となる。
【００２４】
本実施形態における帯状布１１は、図５に示すように、服本体１で使用した導電糸（ｂ）を配設した生地（ａ）を基生地とし、その片面を合成黒鉛を約０．５％、ポリマーを約１％含有させた水溶液からなる導電性樹脂（ｃ）によってコーティングした導電性生地（Ａ１）を帯状に成形したものであるが、特にこれに限定されるものではなく、例えば、図６に示すように、伸縮性のあるウレタンフィルム（ｄ）を基生地とし、その片面を導電性樹脂（ｂ）によってコーティングした導電性生地（Ａ２）を帯状に成形したものであってもよく、また、コーティング用の導電性樹脂（ｂ）の種類も上記に限定されない。
【００２５】
次の表１は、ウレタンフィルム（ｄ）を基生地とし、その片面を導電性樹脂（ｂ）によってコーティングした導電性生地（Ａ２）と、従来方法によって帯電防止加工された生地（Ｂ）及び通常の生地（Ｃ）との帯電性値を測定し比較したものである。なお、生地（ａ）を基生地とした導電性生地（Ａ１）の場合も、前記ウレタンフィルム（ｄ）を基生地とした導電性生地（Ａ２）と同様の制電効果を発揮し得る。
【表１】
0003153935.tif 000003
【００２６】
さらに、本考案防塵服にあっては、作業動作が比較的多く静電気の発生し易い袖口６から肘周り附近にかけての袖部分１４が、前記した導電性生地（Ａ１）若しくは導電性生地（Ａ２）によって形成されている（図２参照）。この導電性生地（Ａ１）及び導電性生地（Ａ２）は、服本体１に使用した生地（ａ）と比較してより導電性が高いので、袖部分１４で発生した静電気をより早く拡散減衰させることができる。また、表面が樹脂コーティングされているので、袖部分１４の摩耗損傷や汚れを防ぎ、耐久性のある防塵服とすることができる。
【００２７】
また、袖部分１４に、服本体１とは別に導電性生地（Ａ１）若しくは導電性生地（Ａ２）によって作られた袖カバー（腕抜き）１５を取り付ける（図３参照）ことによっても、前記した袖部分１４自体を導電性生地（Ａ１）若しくは導電性生地（Ａ２）によって形成した場合と同様の効果が得られる。加えて、袖カバー１５を服本体１より着脱可能とすることにより、袖カバー１５を必要に応じて着脱し効率良く利用することができ、その結果、使用頻度や洗濯頻度を異にする服本体１と袖カバー１５のそれぞれの耐用期間を延ばすことができる。
【００２８】
以上のとおり、本考案による防塵服は、身体や防塵服で発生した静電気を帯状布１１を通じてズボン裾口１０下より直接、あるいは帯電防止靴を介して効率よく床に放出することができ、しかも、服全面に導電性樹脂を塗布したり、導電性樹脂をコーテングしたウレタンフィルムをラミネートすることを必要としないので低コストで製作でき、特に静電気障害を嫌う電子部品を取り扱うクリーンルームで使用される防塵服としては極めて有効である。
【図面の簡単な説明】
【００２９】
【図１】本考案の実施例としてのセパレート型防塵服の略正面図
【図２】本考案の実施例としての繋ぎ型防塵服の略正面図。
【図３】本考案にかかる防塵服の袖部分の構成例を示す説明図。
【図４】同上。
【図５】導電糸が織り込まれ生地の一方表面を導電性樹脂によってコーティングされた導電性生地の層構造を示す概略断面図。
【図６】ウレタンフィルムの一方表面を導電性樹脂によってコーティングされた導電性生地の層構造を示す概略断面図。
【符号の説明】
【００３０】
（Ａ１）（Ａ２）  導電性生地
（ａ）  服本体生地
（ｂ）  導電糸
（ｃ）  導電性樹脂
（ｄ）  ウレタンフィルム
１ 服本体
２ 上衣
３ 下衣
４  前身頃
５  袖
６  袖口
７  ファスナー
８  ズボン前身頃
９  ウエスト部
１０  裾口
１１  帯状布
１２  ドット雄釦
１３  ドット雌釦
【図１】
0003153935.tif 000004
【図２】
0003153935.tif 000005
【図３】
0003153935.tif 000006
【図４】
0003153935.tif 000007
【図５】
0003153935.tif 000008
【図６】
0003153935.tif 000009